(57)【特許請求の範囲】
【請求項１】
文字の入力方法において、文字入力キーを３列×５行の１５個のキーと変換機能のキーを具備し、日本語の入力においては、5つの母音を1列に配列し、音行の か 行・さ 行・ た 行・ な 行・は 行の5つの音行を１列に配列し、音行の ま 行・ や 行・ら 行・ わん 行・及びシフトキーの5つを１列に配列したことにより、１つキーを最大３回押すことにより入力可能となり、シフトキーを１回押した後に音行文字キー又は／及び母音行キーを押すことで小文字を入力し、シフトキーを２回押した後に母音行キーを押すことで記述記号を入力し、シフトキーを３回押した後に母音行キーを押すことで複数の文字からなる記述記号を入力することを特徴とする健常者と視覚障害者が共有可能な文字入力方法。
【請求項２】
請求項１の文字入力キーにおいて、アルファベットの入力においては、１つのキーにアルファベットの順番に２個ずつ１３個のキーに配列し、残りの２つのキーには、シフトキー１個と、記述記号を１個とし、最大２回押しで英字文字入力可能な事を特徴とする事で健常者と視覚障害者と共有可能な請求項１の文字入力方法。
【請求項３】
請求項１または請求項２の文字入力キーにおいて、キー配列全体の中央部のキーに凸部を設けたことによりキー配列位置確認可能な事を特徴とする事で健常者と視覚障害者と共有可能な請求項１または請求項２の文字入力方法。
【発明の詳細な説明】
【技術の分野】
【０００１】  本発明は携帯通信機・自動現金支払機・電子辞書・パソコン等電子端末における文字入力方法に関わる。
【背景の技術】
【０００２】  従来の銀行で使用されている現金自動支払い機・電子端末機・電子辞書等の文字入力はひらがな五十音文字・濁点・半濁点等の文字から必要文字を逐一選択し、必要なキーを押して画面に表示することが広く行われているが、健常者さえ面倒至極で仕方ないばかりか、視覚障害者にとっては入力不可能と言っても過言でない。
【０００３】  そのため、視覚障害者にも容易に文字入力が出来るような考案として、下記の特許文献１が出願されている。  また、本出願人は、特許文献２として近似する特許出願を提出している。
【先行技術文献】
【特許文献１】  登録実用新案公報（Ｕ）  実用新案登録第３１０１８５４号
【特許文献２】  特願２００９−２９３３２１号
【発明の概要】
【発明が解決しようとする課題】
【０００４】  従来の現金自動支払機・電子辞書等の文字入力はひらがな五十音文字濁点・半濁点等の文字全体から必要文字を逐一選択入力大変であった。携帯通信機では文字「お」を入力する場合は、あいうえお  と５回キーを押し表示確認する。  拗音の小文字に於いては更に５回プラス押すので計１０回、濁音「ぼ」を入力する場合は  は  の入力ボタンを検索し  はひふへほ  とボタンを５回押して  ほ  が表示されていることを確認し、濁点ボタンを検索して、  ほ  に付加して表示する。促音や半濁点文字「ぽ」等も同様に複雑極まりない上、確認を見過ごした場合には、再度入力をやり直す。拗音小文字「お」は１回見過ごしてしまうと合計２０回もキーを押さなければならない。健常者さえ面倒至極で仕方ない、視覚障害者には文字入力は不可能といっても過言でない、電子機器端末に於いても然りで煩雑極まりない。【０００５】  携帯通信機で例を提示すると英文字は文字配列数がランダムで何処に入力文字が位置するか検索し難く入力難を招く。【０００６】  電子機器文字入力操作に於いて入力拠点がないか有ったとしても、日本語入力拠点位置としては妥当でない為に、視覚障害者の文字入力は苦労を強いられ困難であり、健常者でもブラインド入力を学習しようとすると、困難でもあるし、特に高齢者にとっては相当の時間を要すことになる。
本発明は、上記問題点を解決し、視覚障害者や高齢者でも容易にブラインド入力することが出来る文字入力方法を開発することを課題とした。
【課題を解決しようとする手段】
【０００７】
上記課題を解決するために、本第一発明の健常者と視覚障害者が共有可能な文字入力方法は、文字入力キーを３列×５行の１５個のキーと変換機能のキーを具備し、日本語の入力においては、5つの母音を1列に配列し、音行の か 行・さ 行・ た 行・ な 行・は 行の5つの音行を１列に配列し、音行の ま 行・ や 行・ら 行・ わん 行・及びシフトキーの5つを１列に配列したことにより、１つキーを最大３回押すことにより入力可能となり、シフトキーを１回押した後に音行文字キー又は／及び母音行キーを押すことで小文字を入力し、シフトキーを２回押した後に母音行キーを押すことで記述記号を入力し、シフトキーを３回押した後に母音行キーを押すことで複数の文字からなる記述記号を入力することを特徴とする
【０００８】  本第二発明の健常者と視覚障害者が共有可能な文字入力方法は、本第一発明の文字入力キーにおいて、アルファベットの入力においては、１つのキーにアルファベットの順番に２個ずつ１３個のキーに配列し、残りの２つのキーには、シフトキーを１個と、記述記号を１個とし、最大２回押しで英字文字入力可能な健常者と視覚障害者と共有可能なことを特徴とする。
【０００９】  本第三発明の健常者と視覚障害者が共有可能な文字入力方法は、本第一発明の文字入力方法または本第二発明の文字入力方法において、キー配列全体の中央部のキーに凸部を設けたことにより健常者と視覚障害者と共有可能なことを特徴とする。
【発明の効果】
【００１０】  本発明の健常者と視覚障害者が共有可能な文字入力方法は、文字入力キーおよび必要なシフトキーと記述記号などを３列×５行に配列した１５個の文字入力キーと変換機能のキーを具備するので、日本語を入力するには、音行のキーを押した後に続けて母音行のキーを押しか、音行のキーと母音行のキーを同時に押すことでも文字入力できるので、１本の指の操作だけで文字入力を可能にした。
【００１１】    また、アルファベット等の入力についても文字配列を変えることにより対応できるので、幅広い文字入力が可能になる。
【００１２】  さらに、キー配列全体の中央部のキーに凸部を設けたことにより、視覚障害者だけでなく健常者がブラインドタッチ入力できる。
【図面の簡単な説明】
【００１３】
【図１】本発明の健常者と視覚障害者が共有可能な文字入力方法の縦並べにした例の説明図
【図２】本発明の健常者と視覚障害者が共有可能な文字入力方法の横並べにした例の説明図
【図３】本発明の健常者と視覚障害者が共有可能な文字入力方法のアルファベットの配列例の説明図
【発明を実施するための形態】
【００１４】
以下本発明の実施の１例にもとづき、実施をするための形態について、図面を参照しつつ詳細に説明する。図1は本発明の文字配列例を縦並べにした場合の一例を説明するための図であり、母音行群の5つのキーを中央に１列に配列し、音行の か 行・ さ 行・ た 行・ な 行・ は 行の5つの音行を左の１列に配列し、音行の ま 行・ や 行・ら 行・ わん 行・及びシフトキーの5つを左の１列に配列し、基本的なキーを３列１５個のキーを配列にしたものである。
【００１５】  具体的な入力方法にあたっては、濁音は音行の文字キーを２回押した後関連母音キーを押して濁音文字を入力、反濁音は音行文字キーを３回押した後関連母音文字キーを押して半濁音文字を入力、なお大文字・小文字の違いだけでなく、各種記述記号の入力も必要になるが、大文字・小文字の違いは文字キーとシフトキーの組み合わせで対応し、記述記号については詳しくは後述するがシフトキーと母音行キーの組み合わせで対応する。
【００１６】  基本的なキーを３列１５個のキーの配列については、上記実施例に拘ることなく、母音行と音行の位置関係は必要に応じて入れ替えても良い。
【００１７】  また、図２は、第１図では縦に配列されたキーを横並びに配列した場合の一例である。この場合も母音行と音行の位置関係は必要に応じて入れ替えても良い。
【００１８】  さらに、図３は、英文字入力のため基本的なキー配列は、２個ずつアルファベット順に横に３列１３個配列し、残りの２個についてはシフトキーと記述記号を配列した。  尚２６文字のアルファベットを縦に２個ずつ配列しても良い。
その場合には、記述記号キーのうちの左右の丸括弧とシフトキーは右端に２個縦並びに配列する。
【００１９】  また、上記英文字入力のため基本的な１５個のキーの配列方法は、縦３列横５個に配列してもよい。
【００２０】  日本語の入力の記述記号の配列については、使用頻度の高いと思われる上位５つを主たる記述記号についてはシフトキーを二回押した後に、母音行の５個のそれぞれのキーを押すと表示できるように配置しておく。  例えば  あ  のキーには  。  配置し、い  のキーには  、  配置し、う  のキーには  ー  を配置し、え  のキーには  ・  し、お  のキーには  ？  を配置する。
【００２１】  さらに、その他の記述記号及び絵文字など使用する可能性のあるものについては副たる記述記号として扱うが、その表示にはシフトキーを三回押した後に、母音行の５個のそれぞれのキーを押すと表示できるように配置しておく。この場合、例えば「まだ元気」の  （＾−＾）  のマークは、シフトキーを三回押した後に、母音行の  え  のキーを押すと表示されるようにしておく。  このように一般的な記述記号とされていない特殊な絵文字などはあらかじめ登録しておくことが必要である。
【００２２】  第１使用例として以下、例文をもとに具体的な入力方法を説明する。  例え
0004750900.tif 000002
である。まず、う  を入力するためには、母音行の  う  を押して  う  を入力し、  ん  は  わ音行を３回押して  ん  を入力する。  次に  ぱ  を入力するためには、は音行を３回押した後に、母音行の  あ  を押して、  ぱ  を入力する。  同じように、あ  は母音行の  あ  を押して、  あ  を入力し、し  は  さ音行の  さ  を押した後に母音行の  い  を押して、  し  入力する。  ど  は、  た音行を２回押した後に、母音行の  お  を押し  ど  を入力する。  り  は  ら音行を押した後に、母音行の  い  を押して  り  を
0004750900.tif 000003
はシフトキーを２回押した後に、母音行の  い  の位置に配列されている  、  を入力する。
【００２３】  副たる記述記号の「まだ元気」の  （＾−＾）  は、シフトキーを３回押してから、母音行の  え  に登録されている一覧からカーソル又はカーソルと併せて発声される「元気顔」という音声案内により  （＾−＾）  を選択確定して入力する次に句読点の  。  はシフトキーを２回押してから、母音行の  あ  の位置に配置された  。  を入力する。
【００２４】  次に、図３の英字入力用の記述記号の配列については、英文入力時の使用頻度の高いと思われる５つの記述記号及びインターネットでの使用頻度の高いと思われる５つの記述記号を主たる記述記号として扱い、それぞれを３列のうちの２列の５つのキーに配置し、シフトキーを二回押してそれぞれのキーを押したときに表示・入力できるようにした。
【００２５】  英字入力用の記述記号の配列に就いては、３列の中央列の  ＣＤ・  ＩＪ・ＯＰ・  ＵＶ・  （  ）の５つの文字キーに使用頻度の高いと思われる上位５つの主たる記述記号を配置して、例えば  ＣＤのキーの位置に  ．  を配置して、ＩＪのキーの位置に  ，  を配置し、ＯＰのキーに  ；  を配置して、ＵＶのキーには  ！  配置し、  （  ）のキーに  ？  を配置して、シフトキーを二回押した後にそのキーを押すことにより、入力しようとする記述記号を選択表示する。
【００２６】  具体的には、左列の  ＡＢ・  ＧＨ・  ＭＮ・  ＳＴ・  ＹＺの５つの各キーには、インターネットで使用頻度の高いと思われる上位５つを配置する。例えば  ＡＢのキーには  ｈｔｔｐ  を配置して、  ＧＨのキーには  ：  を配置し、ＭＮのキーには  ／  を配置し、ＳＴのキーには  −  を配置し、ＹＺのキーには  ＵＲＬ  を配置して、シフトキーを二回押した後に夫々のキーを押すことにより、入力しようとする記述記号を選択表示する。
【００２７】  その他の記述記号については、副たる記述記号として扱い、シフトキーを３回押してから、３列の中央の５つのキーに登録配置された一覧からカーソル又はカーソルと併せて発声される音声案内により入力文字を選択確定して入力する。
【００２８】  第２使用例として、図３を使って、英語の入力方法を説明する。  例えば「（Ｓｔｅｐｓ．）」を入力する場合の手順は次の通りである。（  を入力するためには、（  ）キーを１回押して、  （  を入力する。  次の大文字Ｓを入力するためには、シフトキーを１回押した後に、左列４個目の  ＳＴのキーを１回押して  Ｓ  を入力する。  小文字  ｔ  を入力するためは、左列４個目の  ＳＴのキーを２回押して  ｔ  を入力する。ｅｐｓは小文字であるから同様に配列位置を確認して１回又は２回押してそれぞれの文字を入力する。主たる記述記号の  ．  は中央列一個目に配列されているので、シフトキー２回押してから、  ＣＤのキーをおして、  ．を入力する。  ）は  （  ）のキーを２回押して、  ）  を入力する。
【００２９】  副たる記述記号の入力については、上述と同じ方法で、シフトキー３回押してから、３列の中央の５つのキーにそれぞれに登録配置されている一覧からカーソル又はカーソルと併せて発声される音声案内により、入力文字を選択確定することができる。
【００３０】  このように本発明の文字入力方法によれば、日本語だけでなく、英文などの文字入力も使用する文字と、記述記号を３列×５行の１５個のキーに配置することができるので、健常者がブラインドタッチで入力できるだけでなく、視覚障害者でも片手で入力できる特徴を有する。
【００３１】  これまでの実施例で述べた文字及び記述記号を配列する順序については、実施例をもとに説明したものであり、この実施例に拘るものではない。
【符号の説明】
【００３２】１  凸部
【要約】
【課題】携帯電話・電子辞書・現金自動支払機・電子端末等の文字入力は煩雑で聴覚障害者は苦労を強いられ入力不可能といっても過言でない、尚英字入力はキー上の文字配列ランダムで検索し難い現状課題を有する。電子機器の高性能に成ったからこそこの利点を視覚障害者・健常者と共に少しでも享受し合えるよう課題解決に取り組もうと無い能力を絞りました。
【解決手段】日本語文字の入力方法において、文字入力キーを３列×５行のキーの内にシフトキー１個で計１５個キー配列して、英字文字はアルファベット順にキー上に２個ずつ表示配列する事で文字入力の簡素化と確実性を図りキーボードの中央部のキーに凸部を設け健常者・視覚障害者も文字入力可能にした。
【選択図】図１【図１】
0004750900.tif 000004
【図２】
0004750900.tif 000005
【図３】
0004750900.tif 000006